(57)【要約】【課題】虫捕集部を掃除する際、中に溜まっているごみ等をこぼすことなく用意に虫捕集部を取り外すことができることを目的とする。【解決手段】本体１の内部に吸込口２と連通した虫捕集部１３を設け、前記虫捕集部１３には上部に上部開口１４と粗塵フィルター１５とを備え、前記上部開口１４から室外４の外気を吸込み、上部開口１４よりも下方に位置する粗塵フィルター１５を通り室内に送風され、前記虫捕集部１３を下方へ引き出して前記本体１から着脱できるという構成にしたことにより、粗塵フィルター１５で捕集した虫や粗塵は虫捕集部１３の下方でかつ内側へ常に留められることとなり、また、メンテナンスにて下方へ引き出す際、虫捕集部１３の開口は上部に位置するため、中に溜まっているごみ等をこぼすことなく容易に虫捕集部１３を取り外すことができる換気装置を得られる。【選択図】図１
2012163234.tif 000002
【特許請求の範囲】
【請求項１】
天井裏に設置され、ルーバーを天井面に設け、内部に送風機を設け、側面にダクトを介して室内に連通する吐出口およびダクトを介して室外に連通する吸込口を有した本体を備え、前記吸込口から外気を取り入れて前記吐出口に連通したダクトを介して室内に外気を送風する換気装置において、前記本体の内部に吸込口と連通した虫捕集部を設け、前記虫捕集部には上部に上部開口と粗塵フィルターとを備え、前記上部開口から室外の外気を吸込み、前記上部開口よりも下方に位置する粗塵フィルターを通り前記吐出口より室内に送風され、前記虫捕集部を下方へ引き出して前記本体から着脱できることを特徴とする換気装置。
【請求項２】
ルーバーに室内側に開閉可能なメンテナンス蓋を設け、前記メンテナンス蓋を開けることにより虫捕集部を室内側に引き出すことができることを特徴とする請求項１に記載の換気装置。
【請求項３】
虫捕集部の上部開口と接する本体の内部に設けた虫捕集部吐出口に、前記上部開口と接する部分に弾性体を設けたことを特徴とする請求項１または２に記載の換気装置。
【請求項４】
虫捕集部に取っ手を設け、前記取っ手を設けている面をルーバーの室内面と同一面に位置させたことを特徴とする請求項１記載の換気装置。
【請求項５】
虫捕集部の上部開口の外周面を挟み込むような複数のリブを設けたことを特徴とする請求項４記載の換気装置。
【請求項６】
上部開口が複数のリブ間に収まりやすいように、前記リブの先端では複数の前記リブ間の距離が広く、前記リブの根元にいくにつれて複数のリブ間が狭くなる形状としたことを特徴とする請求項５に記載の換気装置。
【請求項７】
虫捕集部の吐出口に形成したリブを、弾性体で形成したことを特徴とする請求項６に記載の換気装置。
【発明の詳細な説明】
【技術分野】
【０００１】
本発明は、室外空気を室内に供給する換気装置に関するものである。
【背景技術】
【０００２】
従来、この種の換気装置は、ダクトを介して屋外と連通する換気装置本体内の外気取入口に、フィルターと枠体とが一体化して箱体形状を形成した粗塵・防虫フィルターを設けたものが知られている（例えば、特許文献１参照）。
【０００３】
特許文献１に記載の換気装置は粗塵・防虫フィルターはフィルターと枠体とが一体成形された虫捕集用ボックスと防虫用フィルターカバーとから構成され、両者は防虫用フィルターカバーの溝を介しスライドしながら着脱できる。
【０００４】
粗塵・防虫フィルターは外気給気口を形成しているアダプターと平面的に接しており、両者は緩衝材により密閉されている。
【０００５】
粗塵・防虫フィルターの着脱は、換気装置本体側の挿入溝に粗塵・防虫フィルターのフィルター先端部を合わせながら粗塵・防虫フィルターに形成している爪部をアダプターの嵌合部にはめ込みながら行う。
【０００６】
粗塵・防虫フィルターの清掃を行う際は、隣接するより高性能な集塵性能を有する給気清浄フィルターを有したフィルターケースを取り外した後、粗塵・防虫フィルターの爪部の嵌合を解除することにより、粗塵・防虫フィルターを取り外すことができる。
【先行技術文献】
【特許文献】
【０００７】
【特許文献１】特開２００４−３４０５０８号公報
【発明の概要】
【発明が解決しようとする課題】
【０００８】
このような従来の換気装置においては、虫捕集部を掃除する際、フィルターケースを取り外さないと虫捕集部を取り外すことができなく、取り外す際に傾けたりぶつけたりして虫捕集部の中にあるごみをこぼしてしまう、という課題を有していた。
【０００９】
そこで本発明は、上記従来の課題を解決するものであり、虫捕集部を掃除する際、中に溜まっているごみ等をこぼすことなく容易に虫捕集部を取り外すことができる換気装置を提供することを目的とする。
【課題を解決するための手段】
【００１０】
そして、この目的を達成するために、本発明は、天井裏に設置され、ルーバーを天井面に設け、内部に送風機を設け、側面にダクトを介して室内に連通する吐出口およびダクトを介して室外に連通する吸込口を有した本体を備え、前記吸込口から外気を取り入れて前記吐出口に連通したダクトを介して室内に外気を送風する換気装置において、前記本体の内部に吸込口と連通した虫捕集部を設け、前記虫捕集部には上部に上部開口と粗塵フィルターとを備え、前記上部開口から室外の外気を吸込み、前記上部開口よりも下方に位置する粗塵フィルターを通り前記吐出口より室内に送風され、前記虫捕集部を下方へ引き出して前記本体から着脱できる、としたものであり、これにより所期の目的を達成するものである。
【発明の効果】
【００１１】
本発明によれば、本体の内部に吸込口と連通した虫捕集部を設け、前記虫捕集部には上部に上部開口と粗塵フィルターとを備え、上部開口から室外の外気を吸込み、上部開口よりも下方に位置する粗塵フィルターを通り吐出口より室内に送風され、虫捕集部を下方へ引き出して本体から着脱できるという構成にしたことにより、虫捕集部は上部開口から空気を取り込み、下方へと空気が流れるため、フィルターで捕集した虫や粗塵は虫捕集部の下方でかつ内側へ常に留められることとなり、また、メンテナンスにて下方へ引き出す際、虫捕集部の開口は上部に位置するため、虫捕集部から粗塵がこぼれにくくなるので、虫捕集部を掃除する際、中に溜まっているごみ等をこぼすことなく容易に虫捕集部を取り外すことができるという効果を得ることができる。
【図面の簡単な説明】
【００１２】
【図１】本発明の実施の形態１の換気装置を示す分解斜視図
【図２】同換気装置の全体構成を示す側面構成図
【図３】同換気装置の虫捕集部を示す斜視図
【図４】同換気装置の施工状態を示す下方斜視図
【図５】本発明の実施の形態２の換気装置の全体構成を示す側面構成図
【図６】同換気装置の虫捕集部を示す側面拡大構成図
【発明を実施するための形態】
【００１３】
本発明の請求項１記載の換気装置は、天井裏に設置され、ルーバーを天井面に設け、内部に送風機を設け、側面にダクトを介して室内に連通する吐出口およびダクトを介して室外に連通する吸込口を有した本体を備え、前記吸込口から外気を取り入れて前記吐出口に連通したダクトを介して室内に外気を送風する換気装置において、前記本体の内部に吸込口と連通した虫捕集部を設け、前記虫捕集部には上部に上部開口と粗塵フィルターとを備え、前記上部開口から室外の外気を吸込み、前記上部開口よりも下方に位置する粗塵フィルターを通り前記吐出口より室内に送風され、前記虫捕集部を下方へ引き出して前記本体から着脱できるという構成を有する。これにより、虫捕集部は上部開口から空気を取り込み、下方へと空気が流れるため、フィルターで捕集した虫や粗塵は虫捕集部の下方でかつ内側へ常に留められることとなり、また、メンテナンスにて下方へ引き出す際、虫捕集部の開口は上部に位置するため、虫捕集部から粗塵がこぼれにくくなるので、虫捕集部を掃除する際、中に溜まっているごみ等をこぼすことなく容易に虫捕集部を取り外すことができるという効果を奏する。
【００１４】
また、ルーバーに室内側に開閉可能なメンテナンス蓋を設け、前記メンテナンス蓋を開けることにより虫捕集部を室内側に引き出すことができるという構成にしてもよい。これにより、メンテナンス蓋のみを開けることにより、虫捕集部を室内側に引き出すとなるので、虫捕集部を掃除する際、中に溜まっているごみ等をこぼすことなく容易に虫捕集部を取り外すことができるとともに、メンテナンス性が容易となり、虫捕集部を含む本体の下面はルーバーとメンテナンス蓋により覆われるため、インテリア性を損なうことを防ぐことができるという効果を奏する。
【００１５】
また、虫捕集部の上部開口と接する本体の内部に設けた虫捕集部吐出口に、前記上部開口と接する部分に弾性体を設けたという構成にしてもよい。これにより、虫捕集部を上方へスライドさせて本体へ取り付けたとき、弾性体をつぶし、虫捕集部の吐出口と上部開口との気密を確保するとなるので、虫捕集部の吐出口と上部開口との間の空気漏れによる粗塵の侵入や虫の侵入を防ぐことができるという効果を奏する。
【００１６】
また、虫捕集部に取っ手を設け、前記取っ手を設けている面をルーバーの室内面と同一面に位置させたという構成にしてもよい。これにより、室内側から直接取っ手に触れることができ、室内側から虫捕集部を着脱させることとなるので、虫捕集部を掃除する際、中に溜まっているごみ等をこぼすことなく容易に室内側から虫捕集部を取り外すことができるという効果を奏する。
【００１７】
また、虫捕集部の上部開口の外周面を挟み込むような複数のリブを設けたという構成にしてもよい。これにより、リブにより挟み込む形状とすることにより、リブの高さ分以下の寸法であればルーバーと本体の距離が異なった場合でも、虫捕集部吐出口と上部開口とを係合させるとなるので、天井厚みが異なる場合でも、虫捕集部の吐出口と上部開口の気密を保つことができ、空気漏れによる粗塵の侵入や虫の侵入を防ぐことができるという効果を奏する。
【００１８】
また、上部開口が複数のリブ間に収まりやすいように、前記リブの先端では複数の前記リブ間の距離が広く、前記リブの根元にいくにつれて複数のリブ間が狭くなる形状としたという構成にしてもよい。これにより、虫捕集部を上方へ押し上げて本体に固定する際、複数のリブ間の入り口が広いため、確実に上部開口をリブで挟みこむこととなるので、虫捕集部を本体に取り付ける際の操作性を向上させることができるという効果を奏する。
【００１９】
また、虫捕集部の吐出口に形成したリブを、弾性体で形成したという構成にしてもよい。これにより、上部開口とリブを接触させ気密性を高めることとなるので、虫捕集部吐出口と上部開口の気密を高く保つことができるため、空気漏れによる粗塵の侵入や虫の侵入を防ぐことができるとともに、虫捕集部を操作する際、大きな力を必要としないため、メンテナンス性を容易にすることができるという効果を奏する。
【００２０】
以下、本発明の実施の形態について図面を参照しながら説明する。
【００２１】
（実施の形態１）
本発明は、室外の空気を本体内に取り込み、本体に内蔵した虫捕集部を通過して送風機から室内の複数の各居室へ室外の空気を送風する換気装置に関するものである。
【００２２】
図１に示すように、換気装置は本体１の一側面側に１箇所の吸込口２を有し、吸込口２の対面となる側面側に５箇所の吐出口３を有している。本体１の吸込口２と室外４とはダクト（図示せず）にて連通されており、室外４の空気を本体１へ取り入れ、また、多数の吐出口３には任意の口数分のダクトが接続され、ダクトの先端には居室の天井面に設置された給気グリルへと接続され、給気グリルを介して室外４の空気を居室へ供給する。また、本体１の吐出口３は家の間取りや広さにより、吐出口３に連通させるダクトが少なくていい場合は、吐出口３を塞ぐことにより任意の口数に切り替えることができる。
【００２３】
また、本体１の内部は発泡の成型部品５にて形成されており、本体１の外郭はすべて板金６にて覆われ、そして、電動機７は電動機取り付け板８に電動機７をねじで貫通させた状態で電動機取り付け板８に直接固定され、そして、電動機７はシロッコファン９を固定し、結果、電動機７と電動機取り付け板８、そしてシロッコファン９が一体となった電動機ユニット１０として構成されている。そして、電動機ユニット１０は本体１へ下方から電動機取り付け板８の部分でねじ４箇所で固定しているため、反対に電動機ユニット１０を取り外す際は、ねじを取り外すことにより本体１の下方へ電動機ユニット１０を引き降ろすことにより取り外すことができる。
【００２４】
図２に示すように、本体１の側面の吸込口２から流入した室外４の空気は、吸込口２と連通して形成した本体内部風路１１を通り、本体内部風路１１は本体１の内部に形成され、吸込口２と連通し、流入した空気は本体１内の上方へ導かれ、本体内部風路１１と連通して形成された虫捕集部吐出口１２から下方へ向けて本体１の内部に向けて吐出することとなる。そして、室外４の空気に混入している虫や粗塵を捕集するために本体１内に設ける虫捕集部１３は、虫捕集部吐出口１２と連通しており、虫捕集部１３を通過した室外４の空気はシロッコファン９へと流入して吐出口３へと導かれることとなる。なお、虫捕集部吐出口１２とは、本体内部風路１１から空気を吹き出す部分であり、虫捕集部１３と連通して、本体内部風路１１と虫捕集部１３とをつなぐ部分に形成されている。
【００２５】
虫捕集部１３は上部に上部開口１４を有し、側面には粗塵フィルター１５を備え、下部には粗塵フィルター１５にて捕集された塵埃を溜めておくための捕集ポケット１６が形成されている。粗塵フィルター１５はメッシュ間隔０．５ｍｍ以下の微細なネットで構成されており、微細な虫などを確実に捕集することができる。
【００２６】
上記構成とすることによって、虫捕集部１３は上部開口１４から吸込口２より吸い込んだ室外４の空気を取り込み、下方へと空気が流れ、粗塵フィルター１５で捕集した虫や粗塵は虫捕集部１３の下方での内側へ常に留められることとなり、捕集ポケット１６に集められることとなる。したがって、メンテナンスの時に虫捕集部１３を下方へ引き降ろして取り外す際、虫捕集部１３の開口は上部に位置しているため、虫捕集部１３から粗塵がこぼれ落ちることなく、容易に虫捕集部１３を取り外すことができる。
【００２７】
また、虫捕集部１３は本体１に取り付けた時、虫捕集部１３の下面が本体１下面の外郭面と略同一面となるように構成されており、虫捕集部１３の下面には取っ手１７が形成されている。なお、捕集ポケット１６と取っ手１７との間には１０ｍｍ程度の距離を設け、かつ、内部を空気で満たされている空気層１８とすることにより、本体１の内部へ流入し、捕集ポケット１６に接する室外４の空気と本体１外郭と同一面に形成された取っ手１７と接する本体１の周りの空気との温度差による結露を防ぐことができる。
【００２８】
また、虫捕集部１３を取り外す際は、虫捕集部１３の取っ手１７を持ち、下方へ引き降ろすことにより着脱できる構成としている。さらに、虫捕集部吐出口１２の外周部に弾性体１９を構成し、図３に示すように虫捕集部１３を着脱する際、虫捕集部１３の上部開口１４の外周となる上部開口枠２０が図２に示す弾性体１９と接触することにより、虫捕集部吐出口１２と上部開口１４との気密性を保つことができ、空気漏れによる粗塵や虫の侵入を防ぐことができる。
【００２９】
図４に示すように本体１は天井２１の裏へ設置されるが、虫捕集部１３や電動機ユニット１０の交換などを行うために、本体１下方の天井２１の一部に四角の開口が開けられており、四角の開口を覆うように図６に示すようにルーバー２２が本体１に取り付けられ、天井の板２３を挟み込んだ状態で天井の板２３に沿って取り付けられている。図４に示すようにルーバー２２はルーバー枠２４とルーバーパネル２５、そしてメンテナンス蓋２６とから形成されており、ルーバー枠２４が本体１と固定されており、ルーバー枠２４は天井の板２３の四角の開口と略同一面積の開口であり、前記開口を塞ぐためにルーバーパネル２５がルーバー枠２４と着脱自在に設けられている。
【００３０】
また、ルーバーパネル２５において虫捕集部１３に対して下方に位置する部分に、ルーバー枠２４の開口よりも小さな開口を持つメンテナンス蓋２６を設け、メンテナンス蓋２６はルーバーパネル２５と着脱自在に取り付けられている。ルーバーを前記構成とすることにより、電動機ユニット１０を交換する際はルーバーパネル２５を開けて、ルーバー枠２４の開口から電動機ユニット１０を引き出すことができ、また、虫捕集部１３のみを取り外してメンテナンスする際は、図４に示すメンテナンス蓋２６のみを開け、本体１下面の虫捕集部１３の取っ手１７を持ち、下方へ引き出すことによりメンテナンス蓋２６を下方へ開けた開口から虫捕集部１３を引き出してメンテナンスすることができる。さらに、本体１の下面はルーバー枠２４、ルーバーパネル２５、メンテナンス蓋２６から成るルーバー２２により、ルーバーとして室内から見える部分の全面を覆うことができるため、インテリア性に配慮したデザインとすることができる。
【００３１】
（実施の形態２）
図６、７において、図１〜５と同様の構成要素については同一の符号を付し、その詳細な説明は省略する。
【００３２】
実施の形態１では図２に示す虫捕集部１３の取っ手１７は本体１下面と同一面に構成されていたが、実施の形態２では図６に示すようにルーバー２２の室内面２７と同一面に取っ手１７を構成した点が異なる。また、それに伴い虫捕集部吐出口１２と虫捕集部１３の上部開口１４との接合部の構成が異なるため、以下に詳細を示す。
【００３３】
図６に示すように、天井の板２３に開けた四角の開口を覆うようにルーバー２２が本体１に取り付けられ、天井の板２３を挟み込んだ状態で天井の板２３に沿って取り付けられている。ルーバー２２はルーバー枠２４とルーバーパネル２５から形成されており、ルーバーパネル２５には虫捕集部１３が挿入される開口が設けられている。虫捕集部１３は前記開口に下方から上方へ挿入して収まり、虫捕集部１３はルーバーパネル２５に固定され、固定時はルーバー２２の室内面２７と同一面に取っ手１７が位置することとなる。
【００３４】
このような構成とすることによって、室内側から直接取っ手１７に触れることができ、そのまま下方へ引き出すことにより虫捕集部１３を引き出すことができるため、虫捕集部１３の中に留まっているごみ等をこぼすことがなく容易に室内側から虫捕集部１３を取り外すことができる。
【００３５】
なお、天井２１の裏に本体１を施工し、天井の板２３を介してルーバー２２を本体１に取り付けるため、天井の板２３の厚みや施工方法のばらつきにより、本体１とルーバー２２の室内面２７との距離は常に一定に決まることはない。そのため、ルーバー２２の室内面２７と同一面に虫捕集部１３の取っ手１７は位置するため、虫捕集部１３の上部開口１４と本体１内に形成されている虫捕集部吐出口１２との距離も一定に決まることはなく、隙間が生じる恐れがある。
【００３６】
そのため、図６に示すように虫捕集部吐出口１２は内枠２８と外枠２９から構成されており、虫捕集部１３が本体１に取り付けられた際に上部開口枠２０が内枠２８と外枠２９との間に挿入されることとなり、虫捕集部吐出口１２と上部開口１４との気密性を向上させる。また、上部開口枠２０と内枠２８、外枠２９との隙間はそれぞれ０．３ｍｍ以下とすることで、微細な塵埃・虫などを確実に捕集することができる。前記構成とすることにより、天井２１の厚みの違いにより、虫捕集部吐出口１２と上部開口１４との距離が一定には決まらないが、内枠２８と外枠２９との間に上部開口枠２０を収めることにより隙間を埋めるため、内枠２８、および外枠２９の長さ分程度の上下の距離、虫捕集部１３の上部開口１４の位置が変化した場合でも常に上部開口枠２０は内枠２８、外枠２９との間に接して収まることとなり、気密性を保つことができる。
【００３７】
また、内枠２８と外枠２９の形状は、内枠２８と外枠２９の間の距離が先端では広く、上方になるにしたがって距離が狭くなり、さらに上方になると内枠２８と外枠２９との距離は一定となっている。このような形状とすることにより、虫捕集部１３を上方へ押し上げて本体１に固定する際、内枠２８と外枠２９との間への入り口は上部開口枠２０に対して十分に広いため、確実に上部開口枠２０を挿入することができるため、虫捕集部１３の本体１への取り付け操作性を向上させることができる。
【００３８】
また、さらに内枠２８と外枠２９を好ましくはゴムなどの弾性体で形成することにより、虫捕集部１３を押し上げて本体１に固定する際、上部開口枠２０が内枠２８、および外枠２９と干渉するが、内枠２８、外枠２９は弾性体であるため、変形させながら虫捕集部１３を押し上げていくことができる。このような構成とすることにより、上部開口枠２０と内枠２８、外枠２９とが干渉しているため、気密性能を高く保つことができるため、より虫捕集部吐出口１２と上部開口１４との隙間からの空気漏れによる粗塵や虫の侵入を防ぐことができるとともに、虫捕集部１３を操作する際、大きな力を必要とすることがなく、メンテナンス性を容易にすることができる。
【産業上の利用可能性】
【００３９】
本発明にかかる換気装置は、虫捕集部を掃除する際、中に溜まっているごみ等をこぼすことなく容易に虫捕集部を取り外すことを可能とするものであるので、本体内に取り入れた空気を清浄するために使用される空気の清浄装置等としても有用である。
【符号の説明】
【００４０】
２    吸込口
３    吐出口
１２  虫捕集部吐出口
１３  虫捕集部
１４  上部開口
１５  粗塵フィルター
１７  取っ手
１９  弾性体
２１  天井
２２  ルーバー
２６  メンテナンス蓋
２７  室内面
【図１】
2012163234.tif 000003
【図２】
2012163234.tif 000004
【図３】
2012163234.tif 000005
【図４】
2012163234.tif 000006
【図５】
2012163234.tif 000007
【図６】
2012163234.tif 000008